【手続補正書】
【提出日】平成17年10月17日(2005.10.17)
【手続補正１】
【補正対象書類名】明細書
【補正対象項目名】特許請求の範囲
【補正方法】変更
【補正の内容】
【特許請求の範囲】
【請求項１】  光を通すための開口部と、
前記開口部を開閉するための遮光部材と、
前記遮光部材を駆動するための第一のアクチュエーターと、
を備え、
前記第一のアクチュエーターは前記開口部の側方に配置されるとともに、前記遮光部材は横方向にスライド移動することを特徴とする撮影装置用の光量調整ユニット。
【請求項２】  前記開口部を通る光の量を制限するための光量制限部材と、
前記光量制限部材を駆動するための第二のアクチュエーターと、
を更に備え、
前記第一のアクチュエーターと第二のアクチュエーターとは、互いに隣接して配置されていると共に、一体化されて同一ケース内に収容されていることを特徴とする請求項１に記載の光量調整ユニット。
【請求項３】  前記第一，第二の各アクチュエーターは、
回転可能に支持されたシャフトと、
このシャフトの中央部位に固定されたマグネットから成るローターと、
このローターの周囲を囲むように１８０°異なる位置に対向配置された一対のステーターコアと、
前記ローターを回転させるべく、前記一対のステーターコアを通電に応じて磁化するコイルとを備え、
前記一対のステーターコアは、前記シャフトに沿って当該シャフトの基端部後方まで延長され、且つ前記シャフトの軸線上において互いに連結されている連結部を有し、
前記コイルは、前記ステーターコアの連結部の外周に巻装されていることを特徴とする請求項２に記載の光量調整ユニット。
【請求項４】  請求項１ないし３のいずれか一つに記載の光量調整ユニットを搭載され、且つガイド軸に沿って光軸方向へ移動可能に設けられた複数のレンズ群と、これらのレンズ群を光軸方向の所定位置へ移動させるようにそれぞれ駆動するための複数のレンズ駆動用アクチュエーターとを含むレンズユニットを備えてなることを特徴とする光学ユニット。
【請求項５】  前記光量調整ユニットにおける複数の光量調整用アクチュエーターからなる光量調整用アクチュエーターユニットと、
前記レンズユニットにおける複数のレンズ駆動用アクチュエーターからなるレンズ駆動用アクチュエーターユニットとを備え、
前記両アクチュエーターユニットは、前記レンズ群の光軸方向と略平行な一つの直線領域に沿って配置されていることを特徴とする請求項４に記載の光学ユニット。
【請求項６】  前記各レンズ駆動用アクチュエーターは、回転可能に支持された各一本のシャフトと、この一本のシャフトの片側に設けられた永久磁石から成るローターと、このローターの周囲に配された励磁コイルを含むステーターとを備えてなり、
前記レンズ駆動用アクチュエーターユニットは、各レンズ駆動用アクチュエーターのシャフトが平行に配設され、且つ、前記ローターおよびステーターを備えている側が、互いに反対側に位置するように配置されていることを特徴とする請求項５に記載の光学ユニット。
【請求項７】  前記光量調整用アクチュエーターユニットにおける複数の光量調整用アクチュエーターの各シャフトは、第一の平面内に配列され、
前記レンズ駆動用アクチュエーターユニットにおける複数のレンズ駆動用アクチュエーターの各シャフトは、前記第一の平面と平行な第二の平面内に配列されていることを特徴とする請求項５又は６に記載の光学ユニット。
【請求項８】  第一の光軸に沿って被写体から入射する光束を、前記第一の光軸と交差する第二の光軸に沿って折り曲げるプリズムを更に備えたことを特徴とする請求項４ないし７のいずれか一つに記載の光学ユニット。
【請求項９】  前記光量調整用アクチュエーターユニット及び前記レンズ駆動用アクチュエーターユニットにおける前記第一の光軸に沿った方向の寸法が、前記プリズムの第一の光軸方向における寸法と略同一寸法に設定されていることを特徴とする請求項８に記載の光学ユニット。
【請求項１０】  前記光量調整用アクチュエーターユニット及び前記レンズ駆動用アクチュエーターユニットにおける前記第一の光軸に沿った方向の寸法は、互いに近似した寸法に設定されていることを特徴とする請求項８に記載の光学ユニット。
【請求項１１】  第一の光軸に沿って被写体から入射する光束を、前記第一の光軸と交差する第二の光軸に沿って折り曲げるプリズムと、
前記第二の光軸に沿って移動可能に配された第一、第二のレンズ群と、
前記第一、第二のレンズ群をそれぞれ駆動するための複数のレンズ駆動用アクチュエーターと、
光を遮るための遮光部材を有するシャッター機構と、
前記遮光部材を変位させるためのシャッター駆動用アクチュエーターと、
を具備し、
前記複数のレンズ駆動用アクチュエーターは前記第二の光軸と略平行な一つの直線領域に配置されるとともに、前記遮光部材は横方向にスライド移動することを特徴とする光学ユニット。
【請求項１２】  前記被写体から入射する光束の光の量を制限するための光量制限部材を有する光量制限機構と、
前記光量制限部材を変位させるための光量制限機構駆動用アクチュエーターと、
を具備し、
前記光量制限部材は横方向にスライド移動することを特徴とする請求項１１に記載の光学ユニット。
【請求項１３】  前記各レンズ駆動用アクチュエーターは、回転可能に支持された各一本のシャフトと、この一本のシャフトの片側に設けられた永久磁石から成るローターと、このローターの周囲に配された励磁コイルを含むステーターとを備えてなり、
前記レンズ駆動用アクチュエーターの前記各一本のシャフトが平行に配設され、且つ、前記ローター及びステーターを備えている側が、互いに反対側に位置するように配置されていることを特徴とする請求項１１に記載の光学ユニット。
【請求項１４】  請求項１１ないし１３のいずれか一つに記載の光学ユニットを搭載したことを特徴とする電子カメラ。
【手続補正２】
【補正対象書類名】明細書
【補正対象項目名】００１０
【補正方法】変更
【補正の内容】
【００１０】
（１）本発明の光量調整ユニットは、光を通すための開口部と、前記開口部を開閉するための遮光部材と、前記遮光部材を駆動するための第一のアクチュエーターと、を備え、前記第一のアクチュエーターは前記開口部の側方に配置されるとともに、前記遮光部材は横方向にスライド移動することを特徴とする。
【手続補正３】
【補正対象書類名】明細書
【補正対象項目名】００１１
【補正方法】変更
【補正の内容】
【００１１】
（２）本発明の光学ユニットは、前記（１）等に記載されている光量調整ユニットを搭載され、且つガイド軸に沿って光軸方向へ移動可能に設けられた複数のレンズ群と、これらのレンズ群を光軸方向の所定位置へ移動させるようにそれぞれ駆動するための複数のレンズ駆動用アクチュエーターとを含むレンズユニットを備えてなることを特徴とする。
【手続補正４】
【補正対象書類名】明細書
【補正対象項目名】００１２
【補正方法】変更
【補正の内容】
【００１２】
（３）本発明の光学ユニットは、第一の光軸に沿って被写体から入射する光束を、前記第一の光軸と交差する第二の光軸に沿って折り曲げるプリズムと、前記第二の光軸に沿って移動可能に配された第一、第二のレンズ群と、前記第一、第二のレンズ群をそれぞれ駆動するための複数のレンズ駆動用アクチュエーターと、光を遮るための遮光部材を有するシャッター機構と、前記遮光部材を変位させるためのシャッター駆動用アクチュエーターと、を具備し、前記複数のレンズ駆動用アクチュエーターは前記第二の光軸と略平行な一つの直線領域に配置されるとともに、前記遮光部材は横方向にスライド移動することを特徴とする。
（４）本発明の電子カメラは、前記（３）等に記載された光学ユニットを搭載したことを特徴としている。
【手続補正５】
【補正対象書類名】明細書
【補正対象項目名】００８９
【補正方法】変更
【補正の内容】
【００８９】
前記光学ユニット１４においては、両アクチュエーターユニット１６０，４０が撮影光学系に対して同じ側に一括して配置されるため、無駄な占有空間が発生しない。
【手続補正６】
【補正対象書類名】明細書
【補正対象項目名】００９１
【補正方法】変更
【補正の内容】
【００９１】
前記光学ユニット１４においては、比較的径長大な形態をなすレンズ駆動用アクチュエーター５０，６０の各シャフトが共通な領域に一括配置されると共に、外径が比較的大きな形態をなすローター及びテーターが互い違いに組み合わされた態様で配置されるため、占有する設置空間が小さくてよい。
【手続補正７】
【補正対象書類名】明細書
【補正対象項目名】００９３
【補正方法】変更
【補正の内容】
【００９３】
前記光学ユニット１４においては、両アクチュエーターユニット１６０，４０におけるシャフト同士が平行に配置されるので、無駄な空間が生じにくく、コンパクト化し得る。
【手続補正８】
【補正対象書類名】明細書
【補正対象項目名】００９５
【補正方法】変更
【補正の内容】
【００９５】
前記光学ユニット１４においては、光軸が途中で折り曲げられるため、当該光学ユニット自体ひいてはカメラ本体１０の奥行き寸法すなわち厚み寸法を小さくすることができる。
【手続補正９】
【補正対象書類名】明細書
【補正対象項目名】００９７
【補正方法】変更
【補正の内容】
【００９７】
前記光学ユニット１４においては、プリズム２１の厚み寸法と、両アクチュエーターユニット１６０，４０の部分の厚み寸法とが略同一になる。このため、光学ユニット１４全体の厚みが均一化されることになる。
【手続補正１０】
【補正対象書類名】明細書
【補正対象項目名】００９８
【補正方法】変更
【補正の内容】
【００９８】
［１３］実施形態に示された光学ユニット１４は、前記［１１］に記載の光学ユニットであって、前記光量調整用アクチュエーターユニット１６０及び前記レンズ駆動用アクチュエーターユニット４０における前記第一の光軸ＯＡに沿った方向の寸法ＬＡ２，ＬＡ３は、互いに近似した寸法に設定されていることを特徴としている。
【手続補正１１】
【補正対象書類名】明細書
【補正対象項目名】００９９
【補正方法】変更
【補正の内容】
【００９９】
前記光学ユニット１４においては、少なくとも両アクチュエーターユニット１６０，４０同士の厚み寸法を一定化できる。
【手続補正１２】
【補正対象書類名】明細書
【補正対象項目名】０１０１
【補正方法】変更
【補正の内容】
【０１０１】
【発明の効果】
本発明によれば、小型化することが容易な、光量調整ユニット、光学ユニット、及び電子カメラを提供できる。